(57)【要約】【課題】酸化に対して安定な潤滑油組成物とその使用方法を提供する。【解決手段】バイオディーゼル燃料が潤滑油組成物の全質量に基づき少なくとも約０．３質量％混入している、下記の成分を含む潤滑油組成物：ａ）主要量の潤滑粘度の基油、およびｂ）ジアリールアミン化合物（ただし、ジアリールアミン化合物の量は、潤滑油組成物の全質量に基づき少なくとも約０．１質量％）。【選択図】なし【特許請求の範囲】
【請求項１】
バイオディーゼル燃料が潤滑油組成物の全質量に基づき少なくとも０．３質量％混入している、下記の成分を含む潤滑油組成物：
ａ）主要量の潤滑粘度の基油、
ｂ）式（Ｉ）のジアリールアミン化合物
【化１】
2014196511.tif 000008
（式中、Ｒ１およびＲ２は、以下の（ｉ）〜（ｉｉｉ）から選択される。
（ｉ）Ｒ１がオクチルであり、Ｒ２がブチルであり、ｘおよびｙの各々が１であるか、
（ｉｉ）Ｒ１がオクチルであり、ｘが２であり、ｙが０であるか、
（ｉｉｉ）Ｒ１がブチルであり、ｘが２であり、ｙが０であるか、
あるいは、Ｒ１およびＲ２が、上記（ｉ）〜（ｉｉｉ）の組み合わせから選択される。）、
ただし、上記ジアリールアミン化合物の含有量は、潤滑油組成物の全質量に基づき少なくとも０．１質量％であるジアリールアミン化合物、および
ｃ）エチレン・プロピレン共重合体非分散型粘度指数向上剤。
【請求項２】
さらに、酸化防止剤、耐摩耗性添加剤、清浄剤、さび止め添加剤、抗乳化剤、摩擦緩和剤、多機能添加剤、流動点降下剤、消泡剤、金属不活性化剤、分散剤、腐食防止剤、潤滑性向上剤、熱安定性向上剤、防曇剤、氷結防止剤、染料、マーカー、静電放散剤、殺生物剤およびそれらの組合せからなる群より選ばれた少なくとも一種の添加剤を含む請求項１に記載の潤滑油組成物。
【請求項３】
さらに、少なくとも一種の耐摩耗性添加剤を含む請求項１に記載の潤滑油組成物。
【請求項４】
少なくとも一種の耐摩耗性添加剤がジアルキルジチオリン酸亜鉛化合物からなる請求項３に記載の潤滑油組成物。
【請求項５】
ジアルキルジチオリン酸亜鉛化合物から誘導されるリン分が、潤滑油組成物の全質量に基づき０．００１質量％乃至０．５質量％である請求項４に記載の潤滑油組成物。
【請求項６】
ジアルキルジチオリン酸亜鉛化合物から誘導されるリン分が、潤滑油組成物の全質量に基づき０．０１質量％乃至０．１２質量％である請求項５に記載の潤滑油組成物。
【請求項７】
ジアルキルジチオリン酸亜鉛化合物から誘導されるリン分が、潤滑油組成物の全質量に基づき０．０１質量％乃至０．０８質量％である請求項６に記載の潤滑油組成物。
【請求項８】
ジアルキルジチオリン酸亜鉛化合物から誘導されるリン分が、潤滑油組成物の全質量に基づき０．０５質量％乃至０．１２質量％である請求項６に記載の潤滑油組成物。
【請求項９】
潤滑油組成物の硫酸灰分が、潤滑油組成物の全質量に基づき最大２．０質量％である請求項１に記載の潤滑油組成物。
【請求項１０】
バイオディーゼル燃料が、１２乃至３０個の炭素原子を有する長鎖脂肪酸のアルキルエステルを含む請求項１に記載の潤滑油組成物。
【請求項１１】
バイオディーゼル燃料が、潤滑油組成物中に潤滑油組成物の全質量に基づき０．３質量％乃至２０質量％の量で存在する請求項１に記載の潤滑油組成物。
【請求項１２】
基油の動粘度が、１００℃で４ｃＳｔ乃至２０ｃＳｔである請求項１に記載の潤滑油組成物。
【請求項１３】
ジアリールアミン化合物の量が、潤滑油組成物の全質量に基づき少なくとも０．４質量％である請求項１に記載の潤滑油組成物。
【請求項１４】
ジアリールアミン化合物が、オクチル化／ブチル化ジフェニルアミンである請求項１に記載の潤滑油組成物。
【請求項１５】
少なくとも部分的にバイオディーゼル燃料が供給されたディーゼルエンジンの運転を潤滑にする方法であって、バイオディーゼル燃料が潤滑油組成物の全質量に基づき少なくとも０．３質量％混入している、下記の成分を含む潤滑油組成物を用いて、該エンジンを運転することからなる方法：
ａ）主要量の潤滑粘度の基油、
ｂ）式（Ｉ）のジアリールアミン化合物
【化２】
2014196511.tif 000009
（式中、Ｒ１およびＲ２は、以下の（ｉ）〜（ｉｉｉ）から選択される。
（ｉ）Ｒ１がオクチルであり、Ｒ２がブチルであり、ｘおよびｙの各々が１であるか、
（ｉｉ）Ｒ１がオクチルであり、ｘが２であり、ｙが０であるか、
（ｉｉｉ）Ｒ１がブチルであり、ｘが２であり、ｙが０であるか、
あるいは、Ｒ１およびＲ２が、上記（ｉ）〜（ｉｉｉ）の組み合わせから選択される。）、
ただし、ジアリールアミン化合物の量は、潤滑油組成物の全質量に基づき少なくとも０．１質量％であるジアリールアミン化合物、および
ｃ）エチレン・プロピレン共重合体非分散型粘度指数向上剤。
【請求項１６】
さらに、少なくとも一種の耐摩耗性添加剤を含む請求項１５に記載の方法。
【請求項１７】
少なくとも一種の耐摩耗性添加剤がジアルキルジチオリン酸亜鉛化合物からなる請求項１６に記載の方法。
【請求項１８】
ジアルキルジチオリン酸亜鉛化合物から誘導されるリン分が、潤滑油組成物の全質量に基づき０．００１質量％乃至０．５質量％である請求項１７に記載の方法。
【請求項１９】
ジアリールアミン化合物の含有量が、潤滑油組成物の全質量に基づき少なくとも０．３質量％である請求項１に記載の潤滑油組成物。
【請求項２０】
ジアリールアミン化合物の含有量が、潤滑油組成物の全質量に基づき少なくとも１．０質量％である請求項１に記載の潤滑油組成物。
【請求項２１】
ジアリールアミン化合物の含有量が、潤滑油組成物の全質量に基づき少なくとも０．３質量％である請求項１５に記載の方法。
【請求項２２】
ジアリールアミン化合物の含有量が、潤滑油組成物の全質量に基づき少なくとも１．０質量％である請求項１５に記載の方法。
【発明の詳細な説明】
【技術分野】
【０００１】
基油および酸化防止剤、特にはジアリールアミン酸化防止剤を含む潤滑油組成物であって、更にバイオディーゼル燃料又はその分解生成物を少なくとも０．３質量％含有する組成物を提供する。潤滑油組成物の製造方法および使用方法についても記載する。
【背景技術】
【０００２】
バイオディーゼルエンジンなどの内燃機関では、潤滑エンジン油への混入または希釈が問題になってきている。バイオディーゼル燃料は、バイオディーゼルエンジンのシリンダに噴射されたのち気化するのに時間がかかる低揮発性の成分を含んでいる。この結果、これら低揮発性成分がシリンダ壁に蓄積し、その後ピストンリングの作動によってクランクシャフトに堆積することがある。バイオディーゼル燃料は一般に酸化安定性が低いために、シリンダ壁またはクランクシャフトのこれら堆積物が酸化的に分解して、重合及び架橋したバイオディーゼルガム、スラッジ又はワニス状堆積物を金属面に形成し、それがバイオディーゼルエンジンまたはクランクシャフトに損害を与えることがある。また、バイオディーゼル燃料やその結果生じた部分燃焼分解生成物が、エンジンの潤滑剤に混入することもある。これらバイオディーゼル混入物は更に、エンジン油酸化の発生、堆積物形成、および特に鉛及び銅系軸受材料の腐食をもたらす。バイオディーゼルのエンジン油への影響によって、エンジン内の酸化、腐食および堆積物を処理するための添加剤配合物の改善が要求されている。
【発明の概要】
【発明が解決しようとする課題】
【０００３】
一般的には潤滑油組成物を使用することによって、ガム、スラッジまたは堆積物を少なくすることができる。しかし、潤滑油組成物は一般に基油を含んでおり、内燃機関の稼働部分に潤滑性をもたらしながら、同時に極限条件では酸化されることもある。このため、常に基油を酸化による劣化から保護する必要がある。さらに、バイオディーゼル燃料を酸化から保護する必要もある。
【課題を解決するための手段】
【０００４】
本明細書が提供するのは、酸化的に安定な潤滑油組成物である。一つの態様では、本発明は、バイオディーゼル燃料又はその分解生成物が潤滑油組成物の全質量に基づき少なくとも約０．３質量％混入している、下記の成分を含む潤滑油組成物にある：
（ａ）主要量の潤滑粘度の基油、および
（ｂ）ジアリールアミン化合物、
ただし、ジアリールアミン化合物の量は、潤滑油組成物の全質量に基づき少なくとも約０．１質量％である。
【０００５】
ある態様では、基油は主要量で存在する。
【０００６】
また、本明細書で提供するのは、酸化に対して安定である潤滑油組成物を用いてエンジンを潤滑に運転する方法である。ある態様では、本発明の方法は、少なくとも一部にバイオディーゼル燃料が供給されたディーゼルエンジンを潤滑状態で運転する方法であって、バイオディーゼル燃料又はその分解生成物が潤滑油組成物の全質量に基づき少なくとも約０．３質量％混入している、下記の成分を含む潤滑油組成物を用いて、該エンジンを運転することからなる方法である：
（ａ）主要量の潤滑粘度の基油、および
（ｂ）ジアリールアミン化合物、
ただし、ジアリールアミン化合物の量は、潤滑油組成物の全質量に基づき少なくとも約０．１質量％である。
【０００７】
ある態様では、本明細書に開示する潤滑油組成物は植物油または動物油を実質的に含まない。別の態様では、本明細書に開示する潤滑油組成物は植物油または動物油を含まない。
【０００８】
ある態様では、本明細書に開示する潤滑油組成物は更に、酸化防止剤、耐摩耗性添加剤、清浄剤、さび止め添加剤、抗乳化剤、摩擦緩和剤、多機能添加剤、粘度指数向上剤、流動点降下剤、消泡剤、金属不活性化剤、分散剤、腐食防止剤、潤滑性向上剤、熱安定性向上剤、防曇剤、氷結防止剤、染料、マーカー、静電放散剤、殺生物剤およびそれらの組合せからなる群より選ばれた少なくとも一種の添加剤を含有している。別の態様では、少なくとも一種の添加剤は少なくとも一種の耐摩耗性添加剤である。更なる態様では、少なくとも一種の耐摩耗性添加剤はジアルキルジチオリン酸亜鉛化合物からなる。それ以上の態様では、ジアルキルジチオリン酸亜鉛化合物から誘導されるリン分は、潤滑油組成物の全質量に基づき約０．００１質量％乃至約０．５質量％、又は約０．０１質量％乃至約０．１２質量％である。
【０００９】
態様によっては、本明細書に開示する潤滑油組成物の硫酸灰分は、潤滑油組成物の全質量に基づき多くて約１．０質量％である。
【００１０】
ある態様では、本明細書に開示する潤滑油組成物のバイオディーゼル燃料は、長鎖脂肪酸のアルキルエステルを含む。別の態様では、長鎖脂肪酸は炭素原子約１２個乃至炭素原子約３０個を含む。また、ある態様では、バイオディーゼル燃料の量は、潤滑油組成物の全質量に基づき約１質量％乃至約２０質量％である。
【００１１】
態様によっては、本明細書に開示する潤滑油組成物の基油の量は、潤滑油組成物の全質量に基づき少なくとも４０質量％である。更なる態様では、基油の動粘度は１００℃で約５ｃＳｔ乃至約２０ｃＳｔである。
【００１２】
態様によっては、本明細書に開示する潤滑油組成物のジアリールアミン化合物の量は、潤滑油組成物の全質量に基づき少なくとも約０．４質量％である。別の態様では、ジアリールアミン化合物はジフェニルアミン化合物である。更なる態様では、ジフェニルアミン化合物はアルキル化ジフェニルアミン化合物である。それ以上の態様では、アルキル化ジフェニルアミンはＣ１−２０アルキル基を含んでいる。それ以上の態様では、アルキル化ジフェニルアミンは、ビスノニル化ジフェニルアミン、ビスオクチル化ジフェニルアミン、オクチル化／ブチル化ジフェニルアミン、またはそれらの組合せである。
【００１３】
その他の態様については以下で一部は明らかになろうし、また一部は指摘することにする。
【発明の効果】
【００１４】
本明細書に開示する潤滑油組成物は、モーター油（すなわち、エンジン油またはクランクケース油）として、ディーゼルエンジン、特には少なくとも部分的にバイオディーゼル燃料が供給された及び／又は混入したディーゼルエンジンに使用するのに適していると言える。また、本発明の潤滑油組成物は、熱いエンジン部品を冷やしたり、エンジンにさびや堆積物が無いようにしておいたり、燃焼ガスの漏出に備えてリングや弁を封じるためにも使用することもできる。
【図面の簡単な説明】
【００１５】
【図１】第１図は、２２種類の油に基づいたバルク酸化試験の急速消費時間と、シーケンスＩＩＩＧエンジン試験で１００時間稼働後４０℃で測定した（ＡＳＴＭ Ｄ４４５）新油に対するＩＩＩＧ動粘度増加との間の回帰プロットである。
【発明を実施するための形態】
【００１６】
［定義］
本明細書に開示する内容の理解を容易にするために、本明細書で使用する多数の用語、略語または他の省略表現について、以下に定義する。定義されない用語、略語または省略表現は如何なるものであれ、本出願の開陳と同時代にある当該分野の熟練者が使用している通常の意味を有すると解釈できる。
【００１７】
「バイオ燃料」は、再生可能な生物資源から生産された燃料（例えば、メタン）を意味する。再生可能な生物資源としては、直近まで生きていた有機体及びそれらの代謝副産物（例えば、牛の糞尿）、植物、もしくは工業や農業、林業、家庭からの生分解性生産物を挙げることができる。生分解性生産物の例としては、藁、材木、肥料、もみ殻、汚泥、生分解性廃棄物、残飯、木材、廃材、樹液、泥炭、鉄道枕木、木材スラッジ、亜硫酸パルプ廃液、農業廃棄物、藁、タイヤ、魚油、タル油、スラッジ廃液、アルコール廃液、都市ごみ、埋立地ガス、他の廃棄物、および自動車用ガソリンにブレンドできるエタノールを挙げることができる。バイオ燃料を生産するのに使用することができる植物としては、トウモロコシ、大豆、アマニ、ナタネ、サトウキビ、パーム油、およびナンヨウアブラギリが挙げられる。バイオ燃料の例としては、発酵糖から誘導されたアルコール、および植物油または木材から誘導されたバイオディーゼルが挙げられる。
【００１８】
「バイオディーゼル燃料」は、ディーゼルエンジンを駆動するのに使用される、天然油のエステル化又はエステル交換で作られたアルキルエステルを意味する。ある態様ではバイオディーゼル燃料は、天然油を触媒の存在下でアルコール（例えば、エタノールまたはメタノール）でエステル化して、アルキルエステルにすることによって生成する。別の態様ではバイオディーゼル燃料は、植物油または動物脂肪などの天然油から誘導された少なくとも一種の長鎖脂肪酸のアルキルエステルを含んでいる。更なる態様では長鎖脂肪酸は、炭素原子約８個乃至炭素原子約４０個、炭素原子約１２個乃至炭素原子約３０個、又は炭素原子約１４個乃至炭素原子約２４個を含んでいる。ある態様では開示するバイオディーゼル燃料は、石油ディーゼル燃料で駆動するように設計された従来のディーゼルエンジンを駆動するのに使用される。バイオディーゼル燃料は、一般に生分解性で非毒性であり、通常は石油系ディーゼルよりも約６０％少ない正味二酸化炭素排出量を生じる。
【００１９】
「石油ディーゼル燃料」は、石油から生産されたディーゼル燃料を意味する。
【００２０】
「主要量」の基油は、基油の量が潤滑油組成物のうちの少なくとも４０質量％であることを意味する。ある態様では「主要量」の基油は、潤滑油組成物の５０質量％より多い、６０質量％より多い、７０質量％より多い、８０質量％より多い、又は９０質量％より多い量の基油を意味する。
【００２１】
「硫酸灰分」は、潤滑油中の金属含有添加剤（例えば、カルシウム、マグネシウム、モリブデン、亜鉛等）の量を意味し、一般にＡＳＴＭ Ｄ８７４によって測定でき、それも参照内容として本明細書の記載とする。
【００２２】
組成物がある化合物を「実質的に含まない」とは、組成物が化合物を組成物の全質量に基づき２０質量％未満、１０質量％未満、５質量％未満、４質量％未満、３質量％未満、２質量％未満、１質量％未満、０．５質量％未満、０．１質量％未満、又は０．０１質量％未満で含むことを意味する。
【００２３】
組成物がある化合物を「含まない」とは、組成物が化合物を組成物の全質量に基づき０．００１質量％乃至０質量％で含むことを意味する。
【００２４】
以下の記述において開示する数値は全て、それに関連して「約」又は「およそ」が用いられているか否かにかかわらず、おおよその値である。数値は１パーセント、２パーセント、５パーセント、又はときには１０乃至２０パーセントも変わることがある。下限ＲＬと上限ＲＵで数値範囲を開示するときは常に、該範囲内の如何なる数値も明確に開示している。特に、下記の範囲内の数値を明確に開示している：Ｒ＝ＲＬ＋ｋ＊（ＲＵ−ＲＬ）、ただし、ｋは１パーセント乃至１００パーセントの範囲で１パーセントずつ増加する変数である、すなわち、ｋは１パーセント、２パーセント、３パーセント、４パーセント、５パーセント、・・・５０パーセント、５１パーセント、５２パーセント、・・・９５パーセント、９６パーセント、９７パーセント、９８パーセント、９９パーセント、又は１００パーセントである。さらに、上に定義したように二つの数値Ｒで定義した如何なる数値範囲も明確に開示している。
【００２５】
本明細書で提供するのは、バイオディーゼル燃料又はその分解生成物が潤滑油組成物の全質量に基づき少なくとも約０．３質量％混入している、下記の成分を含む潤滑油組成物である：
（ａ）主要量の潤滑粘度の基油、および
（ｂ）ジアリールアミン化合物、
ただし、ジアリールアミン化合物の量は、全質量に基づき少なくとも約０．１質量％である。
【００２６】
Ａ）潤滑粘度の油
開示する潤滑油組成物は一般に、少なくとも一種の潤滑粘度の油を含有している。当該分野の熟練者に知られている任意の基油を、開示する潤滑粘度の油として使用することができる。潤滑油組成物を製造するのに適した基油については、モーティア（Ｍｏｒｔｉｅｒ）、外著、「潤滑剤の化学と技術（Ｃｈｅｍｉｓｔｒｙ ａｎｄ Ｔｅｃｈｎｏｌｏｇｙ ｏｆ Ｌｕｂｒｉｃａｎｔｓ）」、第２版、ロンドン、スプリンガー（Ｓｐｒｉｎｇｅｒ）、第１章及び第２章（１９９６年）、およびＡ．シケリア、Ｊｒ．（Ａ．Ｓｅｑｕｅｒｉａ，Ｊｒ．）著、「潤滑油基油とろう処理（Ｌｕｂｕｒｉｃａｎｔ Ｂａｓｅ Ｏｉｌ ａｎｄ Ｗａｘ Ｐｒｏｃｅｓｓｉｎｇ）」、ニューヨーク、マーセル・デッカー（Ｍａｒｃｅｌ Ｄｅｃｋｅｒ）、第６章（１９９４年）、およびＤ．Ｖ．ブロック（Ｄ．Ｖ．Ｂｒｏｃｋ）著、ルブリケーション・エンジニアリング（Ｌｕｂｒｉｃａｔｉｏｎ Ｅｎｇｉｎｅｅｒｉｎｇ）、第４３巻、ｐ．１８４−５（１９８７年）に記載されていて、それらも全て参照内容として本明細書の記載とする。一般に潤滑油組成物中の基油の量は、潤滑油組成物の全質量に基づき約７０乃至約９９．５質量％であってよい。ある態様では潤滑油組成物中の基油の量は、潤滑油組成物の全質量に基づき約７５乃至約９９質量％、約８０乃至約９８．５質量％、又は約８０乃至約９８質量％である。
【００２７】
ある態様では基油は、任意の天然または合成の潤滑基油留分であるか、あるいは潤滑基油留分を含有している。合成油の無制限の例としては、エチレンなど少なくとも一種のアルファオレフィンの重合から製造されたポリアルファオレフィン類又はＰＡＯｓ、あるいはフィッシャー・トロプシュ法などの一酸化炭素ガスと水素ガスを用いる炭化水素合成法により製造された油を挙げることができる。ある態様では基油は、一種以上の重質留分を基油の全質量に基づき約１０質量％未満で含んでいる。重質留分は、粘度が１００℃で少なくとも約２０ｃＳｔである潤滑油留分を意味する。ある態様では重質留分の粘度は、１００℃で少なくとも約２５ｃＳｔ又は少なくとも約３０ｃＳｔである。更なる態様では基油中の一種以上の重質留分の量は、基油の全質量に基づき約１０質量％未満、約５質量％未満、約２．５質量％未満、約１質量％未満、又は約０．１質量％未満である。それ以上の態様では基油は重質留分を含まない。
【００２８】
ある態様では潤滑油組成物は、潤滑粘度の基油を主要量で含有している。態様によっては基油の１００℃での動粘度は、約２．５センチストークス（ｃＳｔ）乃至約２０ｃＳｔ、約４センチストークス（ｃＳｔ）乃至約２０ｃＳｔ、又は約５ｃＳｔ乃至約１６ｃＳｔである。基油または開示する潤滑油組成物の動粘度は、ＡＳＴＭ Ｄ４４５によって測定することができ、これも参照内容として本明細書の記載とする。
【００２９】
別の態様では基油は、基材油または基材油のブレンドであるか、あるいはそれを含有している。更なる態様では基材油は、蒸留、溶剤精製、水素処理、オリゴマー化、エステル化および再精製を含むが、それらに限定されない各種の異なる方法を用いて製造される。ある態様では基材油は再精製基材油を含んでいる。更なる態様では再精製基材油は、製造、汚染もしくは以前の使用によって混入した物質を実質的に含まない。
【００３０】
ある態様では基油は、米国石油協会（ＡＰＩ）公報１５０９、第１４版、１９９６年１２月（すなわち、客車用モーター油及びディーゼルエンジン油のためのＡＰＩ基油互換性ガイドライン）に規定されているＩ−Ｖ種のうちの一種類以上の基材油を一種以上含有していて、それも参照内容として本明細書の記載とする。ＡＰＩガイドラインは、基材油を各種の異なる方法を用いて製造することができる潤滑剤成分として規定している。Ｉ、ＩＩ、ＩＩＩ種基材油は鉱油であり、各々特定範囲の量の飽和度と硫黄分と粘度指数を有する。ＩＶ種基材油はポリアルファオレフィン（ＰＡＯ）である。Ｖ種基材油には、Ｉ、ＩＩ、ＩＩＩ又はＩＶ種に含まれないその他全ての基材油が含まれる。
【００３１】
下記第１表に、Ｉ、ＩＩ、ＩＩＩ、ＩＶ及びＶ種基材油の飽和度レベル、硫黄レベルおよび粘度指数を記載する。
【００３２】
【表１】
2014196511.tif 000002
【００３３】
ある態様では基油は、Ｉ、ＩＩ、ＩＩＩ、ＩＶ、Ｖ種又はそれらの組合せの基材油を一種以上含んでいる。別の態様では基油は、ＩＩ、ＩＩＩ、ＩＶ種又はそれらの組合せの基材油を一種以上含んでいる。更なる態様では基油は、ＩＩ、ＩＩＩ、ＩＶ種又はそれらの組合せの基材油を一種以上含み、かつ基油の動粘度は１００℃で、約２．５センチストークス（ｃＳｔ）乃至約２０ｃＳｔ、約４ｃＳｔ乃至約２０ｃＳｔ、又は約５ｃＳｔ乃至約１６ｃＳｔである。
【００３４】
基油は、潤滑粘度の天然油、潤滑粘度の合成油およびそれらの混合物からなる群より選ぶことができる。ある態様では基油として、合成ろうや粗ろうの異性化により得られた基材油、並びに原油の芳香族及び極性成分を（溶剤抽出よりはむしろ）水素化分解することにより生成した水素化分解基材油を挙げることができる。別の態様では潤滑粘度の基油として、天然油、例えば動物油、植物油、鉱油（例えば、液体石油、およびパラフィン型、ナフテン型又は混合パラフィン・ナフテン型の溶剤処理又は酸処理鉱油）、石炭または頁岩から誘導された油、およびそれらの組合せを挙げることができる。動物油の例（制限的な意味はない）としては、骨油、ラノリン、魚油、ラード油、イルカ油、アザラシ油、サメ肝油、牛脂油、および鯨油が挙げられる。植物油の例（制限的な意味はない）としては、ヒマシ油、オリーブ油、ピーナッツ油、ナタネ油、トウモロコシ油、ゴマ油、綿実油、大豆油、ヒマワリ油、べに花油、大麻油、アマニ油、キリ油、オイチシカ油、ホホバ油、およびメドウフォーム油が挙げられる。そのような油は部分的にまたは完全に水素化されていてもよい。
【００３５】
ある態様では潤滑粘度の合成油として、炭化水素油およびハロ置換炭化水素油、例えば重合及び共重合オレフィン類、アルキルベンゼン類、ポリフェニル類、アルキル化ジフェニルエーテル類、アルキル化ジフェニルスルフィド類、並びにそれらの誘導体、およびそれらの類似物及び同族体等を挙げることができる。別の態様では合成油として、アルキレンオキシド重合体、真の共重合体、共重合体、および末端ヒドロキシル基がエステル化やエーテル化等によって変性しうるそれらの誘導体を挙げることができる。更なる態様では合成油として、ジカルボン酸と各種アルコールのエステル類が挙げられる。ある態様では合成油として、Ｃ５−Ｃ１２モノカルボン酸とポリオールとポリオールエーテルとから製造されたエステル類が挙げられる。更なる態様では合成油として、トリアルキルリン酸エステル油、例えばトリ−ｎ−ブチルホスフェートおよびトリ−イソ−ブチルホスフェートが挙げられる。
【００３６】
ある態様では潤滑粘度の合成油として、ケイ素系の油（例えば、ポリアルキル、ポリアリール、ポリアルコキシ、ポリアリールオキシ−シロキサン油及びシリケート油）が挙げられる。別の態様では合成油として、リン含有酸の液体エステル類、高分子量テトラヒドロフラン類、およびポリアルファオレフィン類等が挙げられる。ろうの水素異性化から誘導された基油も、単独で、あるいは前記天然及び／又は合成基油と組み合わせて使用することができる。そのようなろう異性化油は、天然又は合成ろうまたはそれらの混合物を水素異性化触媒を用いて水素異性化することにより生成する。
【００３７】
更なる態様では基油は、ポリ−アルファ−オレフィン（ＰＡＯ）を含有している。一般にポリ−アルファ−オレフィン類は、炭素原子数約２〜約３０、約４〜約２０、又は約６〜約１６のアルファ−オレフィンから誘導することができる。好適なポリ−アルファ−オレフィン類の無制限の例としては、オクテン、デセンおよびそれらの混合物等から誘導されたものが挙げられる。これらポリ−アルファ−オレフィン類の粘度は、１００℃で約２乃至約１５、約３乃至約１２、又は約４乃至約８センチストークスであってよい。場合によっては、ポリ−アルファ−オレフィン類を鉱油など他の基油と一緒に使用することもできる。
【００３８】
更なる態様では基油は、ポリアルキレングリコールまたはポリアルキレングリコール誘導体を含んでいて、ポリアルキレングリコールの末端ヒドロキシル基はエステル化やエーテル化、アセチル化等により変性していてもよい。好適なポリアルキレングリコール類の無制限の例としては、ポリエチレングリコール、ポリプロピレングリコール、ポリイソプロピレングリコール、およびそれらの組合せが挙げられる。好適なポリアルキレングリコール誘導体の例（制限的な意味はない）としては、ポリアルキレングリコールのエーテル類（例えば、ポリイソプロピレングリコールのメチルエーテル、ポリエチレングリコールのジフェニルエーテル、ポリプロピレングリコールのジエチルエーテル等）、ポリアルキレングリコールのモノ及びポリカルボン酸エステル類、およびそれらの組合せが挙げられる。場合によっては、ポリアルキレングリコールまたはポリアルキレングリコール誘導体を、ポリ−アルファ−オレフィン類や鉱油など他の基油と一緒に使用することもできる。
【００３９】
別の態様では基油は、ジカルボン酸（例えば、フタル酸、コハク酸、アルキルコハク酸、アルケニルコハク酸、マレイン酸、アゼライン酸、スベリン酸、セバシン酸、フマル酸、アジピン酸、リノール酸二量体、マロン酸、アルキルマロン酸、およびアルケニルマロン酸等）と、各種アルコール（例えば、ブチルアルコール、ヘキシルアルコール、ドデシルアルコール、２−エチルヘキシルアルコール、エチレングリコール、ジエチレングリコールモノエーテル、およびプロピレングリコール等）とのエステル類の何れかを含んでいる。これらエステル類の無制限の例としては、アジピン酸ジブチル、セバシン酸ジ（２−エチルヘキシル）、フマル酸ジ−ｎ−ヘキシル、セバシン酸ジオクチル、アゼライン酸ジイソオクチル、アゼライン酸ジイソデシル、フタル酸ジオクチル、フタル酸ジデシル、セバシン酸ジエイコシル、およびリノール酸二量体の２−エチルヘキシルジエステル等を挙げることができる。
【００４０】
別の態様では基油は、フィッシャー・トロプシュ法により製造された炭化水素を含んでいる。フィッシャー・トロプシュ法では、水素と一酸化炭素を含むガスからフィッシャー・トロプシュ触媒を用いて炭化水素が製造される。これらの炭化水素は、基油として使用できるためには更なる処理を要することがある。例えば、当該分野の熟練者に知られている方法を用いて炭化水素を脱ろう、水素異性化および／または水素化分解してもよい。
【００４１】
別の態様では基油は、未精製油、精製油、再精製油またはそれらの混合物を含んでいる。未精製油は、天然原料または合成原料からそれ以上の精製処理無しに直接得られたものである。未精製油の無制限の例としては、レトルト操作により直接得られた頁岩油、一次蒸留により直接得られた石油、およびエステル化法により直接得られてそれ以上の処理無しに使用できるエステル油を挙げることができる。精製油は、一つ以上の性状を改善するために一以上の精製法で更に処理されていることを除いては、未精製油と同じものである。溶剤抽出、二次蒸留、酸又は塩基抽出、ろ過およびパーコレートなど、多数のそのような精製法が当該分野の熟練者に知られている。再精製油は、精製油を得るために用いたのと同様の方法を精製油に適用することにより得られる。そのような再精製油は、再生又は再処理油としても知られていて、しばしば使用された添加剤や油分解生成物の除去を目的とする方法により追加処理される。
【００４２】
Ｂ）バイオディーゼル燃料
開示する潤滑油組成物は一般に、少なくとも一種のバイオディーゼル燃料を含有している。ディーゼルエンジンを駆動するのにそのままの形で使用することができる任意のバイオディーゼル燃料を、本発明でも使用することができる。バイオディーゼル燃料の例（制限的な意味はない）は、ゲールハルト・クノーテ（Ｇｅｒｈａｒｄ Ｋｎｏｔｈｅ）及びジョン・ファン・ゲルペン（Ｊｏｎ Ｖａｎ Ｇｅｒｐｅｎ）著、「バイオディーゼル便覧（Ｔｈｅ Ｂｉｏｄｉｅｓｅｌ Ｈａｎｄｂｏｏｋ）」、ＡＯＣＳ出版（２００５年）に開示されていて、それも参照内容として本明細書の記載とする。
【００４３】
ある態様ではバイオディーゼル燃料は、植物油または動物脂肪などの天然油から誘導された一種以上の長鎖脂肪酸のモノアルキルエステルを含んでいる。別の態様ではバイオディーゼル燃料は、一種以上の長鎖脂肪酸のメチルエステルを含んでいる。更なる態様では長鎖脂肪酸の炭素原子数は、約１０〜約３０、約１４〜約２６、又は約１６〜約２２である。更なる態様では長鎖脂肪酸は、パルミチン酸（Ｃ１６）、オレイン酸（Ｃ１８：１）、リノール酸（Ｃ１８：２）および他の酸を含んでいる。それ以上の態様ではバイオディーゼル燃料は、トウモロコシ油、カシューナッツ油、オート麦油、ルピナス油、ケナフ油、キンセンカ油、綿実油、大麻油、大豆油、コーヒー油、アマニ油、ヘーゼルナッツ油、トウダイグサ油、カボチャ種油、コリアンダー油、カラシ油、ツバキ油、ゴマ油、べに花油、こめ油、キリ油、ヒマワリ油、カカオ油、ピーナッツ油、ケシ油、ナタネ油、オリーブ油、ヒマシ油、ピーカンナッツ油、ホホバ油、ナンヨウアブラギリ油、マカダミアナッツ油、ブラジルナッツ油、アボカド油、ヤシ油、パーム油、チャイニーズ牛脂油または藻類油のエステル化又はエステル交換から誘導される。それ以上の態様ではバイオディーゼル燃料は、天然油またはナタネ、大豆、ナンヨウアブラギリまたは他の新バイオマス、ＵＣＯ（使用済食用油）、ＭＳＷ（都市ごみ）から、あるいは任意の実施可能な燃料資源から化学的に変換される。
【００４４】
ある態様では開示するバイオディーゼル燃料は、ＥＮ１４２１４標準規格を満たすバイオディーゼル燃料を含んでいて、それも参照内容として本明細書の記載とする。別の態様では開示するバイオディーゼル燃料は、第２表に示すようなＥＮ１４２１４規格値の一部を満たしている。
【００４５】
【表２】
2014196511.tif 000003
【００４６】
一般に、ＡＳＴＭ Ｄ６７５１−０３規格値を満たす純粋なバイオディーゼル燃料は、Ｂ１００表示である。ＡＳＴＭ Ｄ６７５１−０３も参照内容として本明細書の記載とする。ある態様では、Ｂ１００バイオディーゼル燃料を石油ディーゼル燃料と混合してバイオディーゼルブレンドとすることができて、それは排出量を低減してエンジン性能を向上させることが可能である。バイオディーゼルブレンドには表示「Ｂｘｘ」がある、ただし、ｘｘは、バイオディーゼルブレンドの全容量に基づくＢ１００バイオディーゼルの容量％量を意味する。例えば「Ｂ６」は、Ｂ１００バイオディーゼル燃料６容量％と、石油ディーゼル燃料９４容量％とからなるバイオディーゼルブレンドを意味する。
【００４７】
ある態様では開示するバイオディーゼル燃料は、Ｂ１００、Ｂ９５、Ｂ９０、Ｂ８５、Ｂ８０、Ｂ７５、Ｂ７０、Ｂ６５、Ｂ６０、Ｂ５５、Ｂ５０、Ｂ４５、Ｂ４０、Ｂ３５、Ｂ３０、Ｂ２５、Ｂ２０、Ｂ１５、Ｂ１０、Ｂ８、Ｂ６、Ｂ５、Ｂ４、Ｂ３、Ｂ２又はＢ１バイオディーゼル燃料である。別の態様では、Ｂ１００バイオディーゼル燃料を一種以上の鉱油系ディーゼルとブレンドする、ただし、Ｂ１００バイオディーゼル燃料の量は、バイオディーゼルブレンドの全容量に基づき約５容量％、約６容量％、約１０容量％、約１５容量％、約２０容量％、約２５容量％、約３０容量％、約３５容量％、約４０容量％、約４５容量％、約５０容量％、約５５容量％、約６０容量％、約６５容量％、約７０容量％、約７５容量％、約８０容量％、約８５容量％、約９０容量％、又は約９５容量％である。
【００４８】
ある態様ではバイオディーゼル燃料を、石油ディーゼル燃料で駆動するように設計された従来のディーゼルエンジンを運転するために使用する。別の態様ではバイオディーゼル燃料を、天然油または他のバイオ燃料で運転するように設計された改良ディーゼルエンジンを運転するために使用する。
【００４９】
潤滑油組成物中のバイオディーゼル燃料の量は、生分解性および粘度など所望の性状を得るのに適した任意の量であってよい。ある態様では潤滑油組成物中のバイオディーゼル燃料の量は、潤滑油組成物の全質量に基づき少なくとも約０．３質量％、少なくとも約１質量％、少なくとも約２質量％、少なくとも約３質量％、少なくとも約４質量％、少なくとも約５質量％、少なくとも約１０質量％、少なくとも約１５質量％、少なくとも約２０質量％、少なくとも約２５質量％、少なくとも約３０質量％、少なくとも約３５質量％、少なくとも約４０質量％、少なくとも約４５質量％、又は少なくとも約５０質量％である。
【００５０】
Ｃ）潤滑油添加剤
開示する潤滑油組成物は一般に、少なくとも一種のジアリールアミン化合物を含有している。基油がサービス中に劣化する傾向を低減することができる任意のジアリールアミン化合物を使用することができる。好適なジアリールアミン化合物の無制限の例としては、ジフェニルアミン、フェニル−ａ−ナフチルアミン、アルキル化ジアリールアミン類、例えばアルキル化ジフェニルアミン類およびアルキル化フェニル−ａ−ナフチルアミン類を挙げることができる。ある態様ではジアリールアミン化合物は、アルキル化ジフェニルアミンである。ジアリールアミン化合物は、単独でも、あるいは他のジアリールアミン化合物を含む他の潤滑油添加剤と組み合わせても使用することができる。
【００５１】
一態様では、アルキル化ジフェニルアミンを（Ｉ）式で表すことができる。
【００５２】
【化１】
2014196511.tif 000004
【００５３】
式中、Ｒ１およびＲ２の各々は独立に、水素、または炭素原子数約７〜約２０、又は約７〜約１０のアリールアルキル基、または炭素原子数約１〜約２４の線状又は分枝アルキル基であり、そして少なくとも一方の芳香環がアリールアルキル基または線状又は分枝アルキル基を含む限り、ｘおよびｙの各々は独立に、０、１、２又は３である。ある態様ではＲ１およびＲ２の各々は独立に、炭素原子約４〜約２０個、約４〜１６個、約４〜約１２個、又は約４〜約８個を含むアルキル基である。
【００５４】
ある態様ではアルキル化ジフェニルアミンとして、これらに限定されるものではないが、ビスノニル化ジフェニルアミン、ビスオクチル化ジフェニルアミン、およびオクチル化／ブチル化ジフェニルアミンが挙げられる。別の態様ではアルキル化ジフェニルアミンは、（Ｉ）式（ただし、Ｒ１およびＲ２の各々は独立にオクチルであり、そしてｘおよびｙの各々は１である）の第一の化合物からなる。更なる態様ではアルキル化ジフェニルアミンは、（Ｉ）式（ただし、Ｒ１およびＲ２の各々は独立にブチルであり、そしてｘおよびｙの各々は１である）の第二の化合物からなる。それ以上の態様ではアルキル化ジフェニルアミンは、（Ｉ）式（ただし、Ｒ１はオクチルであり、Ｒ２はブチルであり、そしてｘおよびｙの各々は１である）の第三の化合物からなる。それ以上の態様ではアルキル化ジフェニルアミンは、（Ｉ）式（ただし、Ｒ１はオクチルであり、ｘは２であり、そしてｙは０である）の第四の化合物からなる。それ以上の態様ではアルキル化ジフェニルアミンは、（Ｉ）式（ただし、Ｒ１はブチルであり、ｘは２であり、そしてｙは０である）の第五の化合物からなる。ある態様ではアルキル化ジフェニルアミンは、第一化合物、第二化合物、第三化合物、第四化合物、第五化合物またはそれらの組合せからなる。
【００５５】
ある態様では、本発明の潤滑油組成物中のアルキル化ジフェニルアミンなどジアリールアミン化合物の量は、潤滑油組成物の全質量に基づき少なくとも約０．１質量％、少なくとも約０．２質量％、少なくとも約０．３質量％、少なくとも約０．４質量％、少なくとも約０．５質量％、少なくとも約１．０質量％、少なくとも約１．５質量％、少なくとも約２質量％、又は少なくとも約５質量％である。
【００５６】
ある態様ではジアリールアミン化合物の量は、約１０質量％未満である。
【００５７】
任意に、潤滑油組成物は更に、所望の任意の潤滑油組成物特性を付与または改善することができる、少なくとも一種の添加剤または調整剤（以下、「添加剤」と呼ぶ）を含んでいてもよい。当該分野の熟練者に知られている任意の添加剤を、開示する潤滑油組成物に使用することができる。好適な添加剤は、モーティア、外著、「潤滑剤の化学と技術」、第２版、ロンドン、スプリンガー（１９９６年）、およびレスリー・Ｒ．ルドニック（Ｌｅｓｌｉｅ Ｒ．Ｒｕｄｎｉｃｋ）著、「潤滑油添加剤：化学と用途（Ｌｕｂｕｒｉｃａｎｔ Ａｄｄｉｔｉｖｅｓ： Ｃｈｅｍｉｓｔｒｙ ａｎｄ Ａｐｐｌｉｃａｔｉｏｎｓ）」、ニューヨーク、マーセル・デッカー（Ｍａｒｃｅｌ Ｄｅｋｋｅｒ）（２００３年）に記載されていて、それら両方とも参照内容として本明細書の記載とする。ある態様では添加剤は、酸化防止剤、耐摩耗性添加剤、清浄剤、さび止め添加剤、抗乳化剤、摩擦緩和剤、多機能添加剤、粘度指数向上剤、流動点降下剤、消泡剤、金属不活性化剤、分散剤、腐食防止剤、潤滑性向上剤、熱安定性向上剤、防曇剤、氷結防止剤、染料、マーカー、静電放散剤、殺生物剤およびそれらの組合せからなる群より選ぶことができる。一般に、添加剤の各々を使用する場合に潤滑油組成物中でのその濃度は、潤滑油組成物の全質量に基づき約０．００１質量％乃至約１０質量％、約０．０１質量％乃至約５質量％、又は約０．１質量％乃至約２．５質量％である。さらに、潤滑油組成物中の添加剤の総量は、潤滑油組成物の全質量に基づき約０．００１質量％乃至約２０質量％、約０．０１質量％乃至約１０質量％、又は約０．１質量％乃至約５質量％である。
【００５８】
開示する潤滑油組成物は任意に、摩擦および過剰な摩耗を低減することができる耐摩耗性添加剤を含むことができる。当該分野の熟練者に知られている任意の耐摩耗性添加剤を、本発明の潤滑油組成物に使用することができる。好適な耐摩耗性添加剤の例（制限的な意味はない）としては、ジチオリン酸亜鉛、ジチオリン酸塩の金属（例えば、Ｐｂ、ＳｂおよびＭｏ等）塩、ジチオカルバメートの金属（例えば、Ｚｎ、Ｐｂ、ＳｂおよびＭｏ等）塩、脂肪酸の金属（例えば、Ｚｎ、ＰｂおよびＳｂ等）塩、ホウ素化合物、リン酸エステル類、亜リン酸エステル類、リン酸エステル又はチオリン酸エステルのアミン塩、ジシクロペンタジエンとチオリン酸の反応生成物、およびそれらの組合せを挙げることができる。耐摩耗性添加剤の量は、潤滑油組成物の全質量に基づき約０．０１質量％乃至約５質量％、約０．０５質量％乃至約３質量％、又は約０．１質量％乃至約１質量％である。好適な耐摩耗性添加剤は、レスリー・Ｒ．ルドニック著、「潤滑油添加剤：化学と用途」、ニューヨーク、マーセル・デッカー、第８章、ｐ．２２３−２５８（２００３年）に記載されており、これも参照内容として本明細書の記載とする。
【００５９】
ある態様では耐摩耗性添加剤は、ジアルキルジチオリン酸亜鉛化合物などの二炭化水素ジチオリン酸金属塩であるか、あるいはそれを含有している。二炭化水素ジチオリン酸金属塩の金属は、アルカリ又はアルカリ土類金属であっても、あるいはアルミニウム、鉛、スズ、モリブデン、マンガン、ニッケルまたは銅であってもよい。ある態様では金属は亜鉛である。別の態様では二炭化水素ジチオリン酸金属塩のアルキル基は、炭素原子数約３〜約２２、炭素原子数約３〜約１８、炭素原子数約３〜約１２、又は炭素原子数約３〜約８である。更なる態様ではアルキル基は線状であるかまたは分枝している。
【００６０】
本発明の潤滑油組成物中のジアルキルジチオリン酸亜鉛を含めた二炭化水素ジチオリン酸金属塩の量は、そのリン分で量られる。ある態様では開示する潤滑油組成物のリン分は、潤滑油組成物の全質量に基づき約０．０１質量％乃至約０．１２質量％、約０．０１質量％乃至約０．１０質量％、又は約０．０２質量％乃至約０．０８質量％である。
【００６１】
一態様では潤滑油組成物のリン分は、潤滑油組成物の全質量に基づき約０．０１乃至０．０８質量％である。別の態様では潤滑油組成物のリン分は、潤滑油組成物の全質量に基づき約０．０５乃至０．１２質量％である。
【００６２】
二炭化水素ジチオリン酸金属塩は、公知技術に従ってまず、通常は一種以上のアルコールおよびフェノール系化合物をＰ２Ｓ５と反応させることで、二炭化水素ジチオリン酸（ＤＤＰＡ）を生成させ、次いで生成したＤＤＰＡを金属化合物、例えば金属の酸化物、水酸化物又は炭酸塩で中和することにより製造することができる。ある態様では、第一級及び第二級アルコールの混合物をＰ２Ｓ５と反応させることにより、ＤＤＰＡを製造することができる。別の態様では、二種以上の二炭化水素ジチオリン酸を製造することができて、一種類のジチオリン酸の炭化水素基は全く第二級の性質であるが、残りのジチオリン酸の炭化水素基は全く第一級の性質である。亜鉛塩は、二炭化水素ジチオリン酸から亜鉛化合物と反応させることにより製造することができる。ある態様では塩基性又は中性の亜鉛化合物を使用する。別の態様では亜鉛の酸化物、水酸化物又は炭酸塩を使用する。
【００６３】
ある態様では、（ＩＩ）式で表されるジアルキルジチオリン酸から、油溶性のジアルキルジチオリン酸亜鉛を生成させることができる。
【００６４】
【化２】
2014196511.tif 000005
【００６５】
式中、Ｒ３およびＲ４の各々は独立に、線状又は分枝アルキル、または線状又は分枝置換アルキルである。ある態様ではアルキル基は、炭素原子数約３〜約３０、又は炭素原子数約３〜約８である。
【００６６】
（ＩＩ）式のジアルキルジチオリン酸は、アルコールＲ３ＯＨとＲ４ＯＨ（ただし、Ｒ３およびＲ４は上に定義した通りである）を、Ｐ２Ｓ５と反応させることにより製造することができる。ある態様ではＲ３とＲ４は同じである。別の態様ではＲ３とＲ４は異なっている。更なる態様では、Ｒ３ＯＨとＲ４ＯＨを同時にＰ２Ｓ５と反応させる。それ以上の態様では、Ｒ３ＯＨとＲ４ＯＨを順次Ｐ２Ｓ５と反応させる。
【００６７】
ヒドロキシルアルキル化合物の混合物も使用することができる。これらヒドロキシルアルキル化合物は、モノヒドロキシルアルキル化合物である必要はない。ある態様では、モノ、ジ、トリ、テトラ及び他のポリヒドロキシアルキル化合物または前者の二種以上の混合物から、ジアルキルジチオリン酸を製造する。別の態様では、第一級アルキルアルコールのみから誘導するジアルキルジチオリン酸亜鉛は、単一の第一級アルコールから誘導する。更なる態様ではその単一第一級アルコールは、２−エチルヘキサノールである。ある態様では、第二級アルキルアルコールのみからジアルキルジチオリン酸亜鉛を誘導する。更なる態様ではその第二級アルコールの混合物は、２−ブタノールと４−メチル−２−ペンタノールの混合物である。
【００６８】
ジアルキルジチオリン酸の生成工程に使用される五硫化リン反応体は、Ｐ２Ｓ３、Ｐ４Ｓ３、Ｐ４Ｓ７又はＰ４Ｓ９のうちの一種以上をある量含んでいることがある。組成物それ自体が少量の遊離硫黄を含んでいることもある。ある態様では五硫化リン反応体は、Ｐ２Ｓ３、Ｐ４Ｓ３、Ｐ４Ｓ７及びＰ４Ｓ９の何れも実質的に含まない。ある態様では五硫化リン反応体は遊離硫黄を実質的に含まない。
【００６９】
本発明において、全潤滑油組成物の硫酸灰分は、ＡＳＴＭ Ｄ８７４によって測定したときに、約５質量％、約４質量％、約３質量％、約２質量％、又は約１質量％である。
【００７０】
任意に、本発明の潤滑油組成物は更に、基油の酸化を低減または防止することができる追加の酸化防止剤を含有することができる。当該分野の熟練者が知っている任意の酸化防止剤を、潤滑油組成物に使用することができる。好適な酸化防止剤の無制限の例としては、アミン系酸化防止剤（例えば、アルキルジフェニルアミン類、フェニル−ａ−ナフチルアミン、アルキル又はアラルキル置換フェニル−ａ−ナフチルアミン、アルキル化ｐ−フェニレンジアミン類、およびテトラメチル−ジアミノジフェニルアミン等）、フェノール系酸化防止剤（例えば、２−ｔｅｒｔ−ブチルフェノール、４−メチル−２，６−ジ−ｔｅｒｔ−ブチルフェノール、２，４，６−トリ−ｔｅｒｔ−ブチルフェノール、２，６−ジ−ｔｅｒｔ−ブチル−ｐ−クレゾール、２，６−ジ−ｔｅｒｔ−ブチルフェノール、４，４’−メチレンビス−（２，６−ジ−ｔｅｒｔ−ブチルフェノール）、および４，４’−チオビス（６−ジ−ｔｅｒｔ−ブチル−ｏ−クレゾール）等）、硫黄系酸化防止剤（例えば、ジラウリル−３，３’−チオジプロピオネート、および硫化フェノール系酸化防止剤等）、リン系酸化防止剤（例えば、亜リン酸塩等）、ジチオリン酸亜鉛、油溶性銅化合物、およびそれらの組合せを挙げることができる。酸化防止剤の量は、潤滑油組成物の全質量に基づき約０．０１質量％乃至約１０質量％、約０．０５質量％乃至約５質量％、又は約０．１質量％乃至約３質量％まで変えることができる。好適な酸化防止剤は、レスリー・Ｒ．ルドニック著、「潤滑油添加剤：化学と用途」、ニューヨーク、マーセル・デッカー、第１章、ｐ．１−２８（２００３年）に記載されていて、それも参照内容として本明細書の記載とする。
【００７１】
ある態様では潤滑油組成物は、少なくとも一種の清浄剤を含有している。エンジン堆積物の付着を低減するまたは遅らすことができる任意の化合物又は化合物の混合物を、清浄剤として使用することができる。好適な清浄剤の無制限の例としては、ポリオレフィン置換コハク酸イミド類またはポリアミンのコハク酸アミド類、例えばポリイソブチレンコハク酸イミド類またはポリイソブチレンアミンコハク酸アミド類、脂肪族アミン類、マンニッヒ塩基又はアミン類、およびポリオレフィン（例えば、ポリイソブチレン）マレイン酸無水物を挙げることができる。好適なコハク酸イミド清浄剤は、英国特許第９６０４９３号明細書、欧州特許第０１４７２４０号明細書、欧州特許第０４８２２５３号明細書、欧州特許第０６１３９３８号明細書、欧州特許第０５５７５６１号明細書及び国際公開第９８／４２８０８号パンフレットに記載されていて、それら全て参照内容として本明細書の記載とする。ある態様では清浄剤は、ポリイソブチレンコハク酸イミドなどのポリオレフィン置換コハク酸イミドである。市販の清浄添加剤の無制限の例としては、Ｆ７６６１及びＦ７６８５（インフィニウム（Ｉｎｆｉｎｅｕｍ）社、ニュージャージー州リンデン製）、およびＯＭＡ４１３０Ｄ（オクテル・コーポレーション（Ｏｃｔｅｌ Ｃｏｒｐｏｒａｔｉｏｎ）、英国マンチェスター製）が挙げられる。
【００７２】
好適な金属清浄剤の無制限の例としては、硫化又は未硫化アルキル又はアルケニルフェネート類、アルキル又はアルケニル芳香族スルホネート類、ホウ酸化スルホネート類、多ヒドロキシアルキル又はアルケニル芳香族化合物の硫化又は未硫化金属塩類、アルキル又はアルケニルヒドロキシ芳香族スルホネート類、硫化又は未硫化アルキル又はアルケニルナフテネート類、アルカノール酸の金属塩類、アルキル又はアルケニル多酸の金属塩類、およびそれらの化学的及び物理的混合物を挙げることができる。好適な金属清浄剤の他の無制限の例としては、金属スルホネート類、フェネート類、サリチレート類、ホスホネート類、チオホスホネート類、およびそれらの組合せが挙げられる。金属は、スルホネート、フェネート、サリチレート又はホスホネート清浄剤を製造するのに適した任意の金属であってよい。好適な金属の無制限の例としては、アルカリ金属、アルカリ金属および遷移金属が挙げられる。ある態様では金属は、Ｃａ、Ｍｇ、Ｂａ、Ｋ、ＮａまたはＬｉ等である。
【００７３】
一般に清浄剤の量は、潤滑油組成物の全質量に基づき約０．００１質量％乃至約５質量％、約０．０５質量％乃至約３質量％、又は約０．１質量％乃至約１質量％である。好適な清浄剤は、モーティア、外著、「潤滑剤の化学と技術」、第２版、ロンドン、スプリンガー、第３章、ｐ．７５−８５（１９９６年）、およびレスリー・Ｒ．ルドニック著、「潤滑油添加剤：化学と用途」、ニューヨーク、マーセル・デッカー、第４章、ｐ．１１３−１３６（２００３年）に記載されていて、それら両方とも参照内容として本明細書の記載とする。
【００７４】
本発明の潤滑油組成物は任意に、粒子をコロイド状態にけん濁しておくことでスラッジやワニス、他の堆積物を防ぐことができる分散剤を含有することができる。当該分野の熟練者が知っている任意の分散剤を、潤滑油組成物に使用することができる。好適な分散剤の無制限の例としては、アルケニルコハク酸イミド類、他の有機化合物で変性したアルケニルコハク酸イミド類、エチレンカーボネートまたはホウ酸による後処理で変性したアルケニルコハク酸イミド類、コハク酸アミド類、コハク酸エステル類、コハク酸エステル−アミド類、ペンタエリトリトール類、フェネート−サリチレート類及びそれらの後処理類似物、アルカリ金属又は混合アルカリ金属、アルカリ土類金属のホウ酸塩類、水和アルカリ金属ホウ酸塩の分散物、アルカリ土類金属ホウ酸塩の分散物、ポリアミド無灰分散剤、ベンジルアミン類、マンニッヒ型分散剤、リン含有分散剤、およびそれらの組合せを挙げることができる。分散剤の量は、潤滑油組成物の全質量に基づき約０．０１質量％乃至約１０質量％、約０．０５質量％乃至約７質量％、又は約０．１質量％乃至約４質量％まで変えることができる。好適な分散剤は、モーティア、外著、「潤滑剤の化学と技術」、第２版、ロンドン、スプリンガー、第３章、ｐ．８６−９０（１９９６年）、およびレスリー・Ｒ．ルドニック著、「潤滑油添加剤：化学と用途」、ニューヨーク、マーセル・デッカー、第５章、ｐ．１３７−１７０（２００３年）に記載されていて、それら両方とも参照内容として本明細書の記載とする。
【００７５】
本発明の潤滑油組成物は任意に、可動部分間の摩擦を小さくすることができる摩擦緩和剤を含有することができる。当該分野の熟練者が知っている任意の摩擦緩和剤を、潤滑油組成物に使用することができる。好適な摩擦緩和剤の例（制限的な意味はない）としては、脂肪カルボン酸類；脂肪カルボン酸の誘導体（例えば、アルコール、エステル、ホウ酸化エステル、アミドおよび金属塩等）；モノ、ジ又はトリアルキル置換リン酸又はホスホン酸類；モノ、ジ又はトリアルキル置換リン酸又はホスホン酸の誘導体（例えば、エステル、アミドおよび金属塩等）；モノ、ジ又はトリアルキル置換アミン類；モノ又はジアルキル置換アミド類；およびそれらの組合せを挙げることができる。ある態様では摩擦緩和剤は、脂肪族アミン類、エトキシル化脂肪族アミン類、脂肪族カルボン酸アミド類、エトキシル化脂肪族エーテルアミン類、脂肪族カルボン酸類、グリセロールエステル類、脂肪族カルボン酸エステル−アミド類、脂肪イミダゾリン類、脂肪第三級アミン類（ただし、脂肪族又は脂肪基は、化合物を好適に油溶性にするために炭素原子を約８個より多く含んでいる）からなる群より選ばれる。別の態様では摩擦緩和剤は、脂肪族コハク酸又は無水物をアンモニアまたは第一級アミンと反応させることで生成した脂肪族置換コハク酸イミドからなる。摩擦緩和剤の量は、潤滑油組成物の全質量に基づき約０．０１質量％乃至約１０質量％、約０．０５質量％乃至約５質量％、又は約０．１質量％乃至約３質量％まで変えることができる。好適な摩擦緩和剤は、モーティア、外著、「潤滑剤の化学と技術」、第２版、ロンドン、スプリンガー、第６章、ｐ．１８３−１８７（１９９６年）、およびレスリー・Ｒ．ルドニック著、「潤滑油添加剤：化学と用途」、ニューヨーク、マーセル・デッカー、第６章及び第７章、ｐ．１７１−２２２（２００３年）に記載されていて、それら両方とも参照内容として本明細書の記載とする。
【００７６】
本発明の潤滑油組成物は任意に、潤滑油組成物の流動点を下げることができる流動点降下剤を含有することができる。当該分野の熟練者が知っている任意の流動点降下剤を、潤滑油組成物に使用することができる。好適な流動点降下剤の例（制限的な意味はない）としては、ポリメタクリレート類、アルキルアクリレート重合体、アルキルメタクリレート重合体、ジ（テトラパラフィンフェノール）フタレート、テトラパラフィンフェノールの縮合物、塩素化パラフィンとナフタレンの縮合物、およびそれらの組合せを挙げることができる。ある態様では流動点降下剤は、エチレン・酢酸ビニル共重合体、塩素化パラフィンとフェノールの縮合物、またはポリアルキルスチレン等からなる。流動点降下剤の量は、潤滑油組成物の全質量に基づき約０．０１質量％乃至約１０質量％、約０．０５質量％乃至約５質量％、又は約０．１質量％乃至約３質量％まで変えることができる。好適な流動点降下剤は、モーティア、外著、「潤滑剤の化学と技術」、第２版、ロンドン、スプリンガー、第６章、ｐ．１８７−１８９（１９９６年）、およびレスリー・Ｒ．ルドニック著、「潤滑油添加剤：化学と用途」、ニューヨーク、マーセル・デッカー、第１１章、ｐ．３２９−３５４（２００３年）に記載されていて、それら両方とも参照内容として本明細書の記載とする。
【００７７】
本発明の潤滑油組成物は任意に、水や蒸気にさらされる潤滑油組成物の油−水分離を促進することができる抗乳化剤を含有することができる。当該分野の熟練者が知っている任意の抗乳化剤を、潤滑油組成物に使用することができる。好適な抗乳化剤の例（制限的な意味はない）としては、陰イオン界面活性剤（例えば、アルキルナフタレンスルホネート類、およびアルキルベンゼンスルホネート類等）、非イオン性アルコキシル化アルキルフェノール樹脂、アルキレンオキシドの重合体（例えば、ポリエチレンオキシド、ポリプロピレンオキシド、およびエチレンオキシドとプロピレンオキシドのブロック共重合体等）、油溶性酸のエステル類、ポリオキシエチレンソルビタンエステル、およびそれらの組合せを挙げることができる。抗乳化剤の量は、潤滑油組成物の全質量に基づき約０．０１質量％乃至約１０質量％、約０．０５質量％乃至約５質量％、又は約０．１質量％乃至約３質量％まで変えることができる。好適な抗乳化剤は、モーティア、外著、「潤滑剤の化学と技術」、第２版、ロンドン、スプリンガー、第６章、ｐ．１９０−１９３（１９９６年）に記載されていて、それも参照内容として本明細書の記載とする。
【００７８】
本発明の潤滑油組成物は任意に、油中の泡を破壊することができる抑泡剤又は消泡剤を含有することができる。当該分野の熟練者が知っている任意の抑泡剤又は消泡剤を、潤滑油組成物に使用することができる。好適な消泡剤の例（制限的な意味はない）としては、シリコーン油又はポリジメチルシロキサン類、フルオロシリコーン類、アルコキシル化脂肪酸類、ポリエーテル類（例えば、ポリエチレングリコール類）、分枝ポリビニルエーテル類、アルキルアクリレート重合体、アルキルメタクリレート重合体、ポリアルコキシアミン類、およびそれらの組合せを挙げることができる。ある態様では消泡剤は、グリセロールモノステアレート、ポリグリコールパルミテート、モノチオリン酸トリアルキル、スルホン化リシノール酸のエステル、ベンゾイルアセトン、メチルサリチレート、グリセロールモノオレエート、またはグリセロールジオレエートからなる。消泡剤の量は、潤滑油組成物の全質量に基づき約０．０１質量％乃至約５質量％、約０．０５質量％乃至約３質量％、又は約０．１質量％乃至約１質量％まで変えることができる。好適な消泡剤は、モーティア、外著、「潤滑剤の化学と技術」、第２版、ロンドン、スプリンガー、第６章、ｐ．１９０−１９３（１９９６年）に記載されていて、それも参照内容として本明細書の記載とする。
【００７９】
本発明の潤滑油組成物は任意に、腐食を低減することができる腐食防止剤を含有することができる。当該分野の熟練者が知っている任意の腐食防止剤を、潤滑油組成物に使用することができる。好適な腐食防止剤の例（制限的な意味はない）としては、ドデシルコハク酸の半エステル又はアミド類、リン酸エステル類、チオリン酸エステル類、アルキルイミダゾリン類、サルコシン類、およびそれらの組合せを挙げることができる。腐食防止剤の量は、潤滑油組成物の全質量に基づき約０．０１質量％乃至約５質量％、約０．０５質量％乃至約３質量％、又は約０．１質量％乃至約１質量％まで変えることができる。好適な腐食防止剤は、モーティア、外著、「潤滑剤の化学と技術」、第２版、ロンドン、スプリンガー、第６章、ｐ．１９３−１９６（１９９６年）に記載されていて、それも参照内容として本明細書の記載とする。
【００８０】
本発明の潤滑油組成物は任意に、滑り金属面が極度の圧力条件下で焼付くのを防ぐことができる極圧（ＥＰ）剤を含有することができる。当該分野の熟練者が知っている任意の極圧剤を、潤滑油組成物に使用することができる。一般に極圧剤は、金属と化学的に結合して表面膜を形成することができる化合物であり、その表面膜が金属面を高荷重で向い合わせた際に微小突起物の融着を防ぐ。好適な極圧剤の例（制限的な意味はない）としては、動物又は植物硫化油脂、動物又は植物硫化脂肪酸エステル類、三価又は五価リン酸の完全又は部分エステル化エステル類、硫化オレフィン類、二炭化水素ポリサルファイド類、硫化ディールス・アルダー付加物、硫化ジシクロペンタジエン、脂肪酸エステルと一不飽和オレフィンの硫化又は共硫化混合物、脂肪酸と脂肪酸エステルとアルファ−オレフィンの共硫化ブレンド、官能基置換二炭化水素ポリサルファイド類、チア−アルデヒド類、チア−ケトン類、エピチオ化合物、硫黄含有アセタール誘導体、テルペンと非環状オレフィンの共硫化ブレンド、およびポリサルファイドオレフィン生成物、リン酸エステル又はチオリン酸エステルのアミン塩類、およびそれらの組合せを挙げることができる。極圧剤の量は、潤滑油組成物の全質量に基づき約０．０１質量％乃至約５質量％、約０．０５質量％乃至約３質量％、又は約０．１質量％乃至約１質量％まで変えることができる。好適な極圧剤は、レスリー・Ｒ．ルドニック著、「潤滑油添加剤：化学と用途」、ニューヨーク、マーセル・デッカー、第８章、ｐ．２２３−２５８（２００３年）に記載されていて、それも参照内容として本明細書の記載とする。
【００８１】
本発明の潤滑油組成物は任意に、鉄金属面の腐食を防ぐことができるさび止め添加剤を含有することができる。当該分野の熟練者が知っている任意のさび止め添加剤を、潤滑油組成物に使用することができる。好適なさび止め添加剤の例（制限的な意味はない）としては、油溶性のモノカルボン酸類（例えば、２−エチルヘキサン酸、ラウリン酸、ミリスチン酸、パルミチン酸、オレイン酸、リノール酸、リノレン酸、ベヘン酸、およびセロチン酸等）、油溶性のポリカルボン酸類（例えば、タル油脂肪酸、オレイン酸およびリノール酸等から生成したもの）、アルケニル基が炭素原子１０個以上を含むアルケニルコハク酸類（例えば、テトラプロペニルコハク酸、テトラデセニルコハク酸、およびヘキサデセニルコハク酸等）、分子量が６００乃至３０００ダルトンの範囲にある長鎖アルファ、オメガ−ジカルボン酸類、およびそれらの組合せを挙げることができる。さび止め添加剤の量は、潤滑油組成物の全質量に基づき約０．０１質量％乃至約１０質量％、約０．０５質量％乃至約５質量％、又は約０．１質量％乃至約３質量％まで変えることができる。
【００８２】
好適なさび止め添加剤の他の例（制限的な意味はない）としては、非イオン性ポリオキシエチレン界面活性剤、例えばポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、ポリオキシエチレンソルビトールモノステアレート、ポリオキシエチレンソルビトールモノオレエート、およびポリエチレングリコールモノオレエートを挙げることができる。好適なさび止め添加剤のそれ以上の例（制限的な意味はない）としては、ステアリン酸及び他の脂肪酸類、ジカルボン酸類、金属石鹸、脂肪酸アミン塩類、重質スルホン酸の金属塩類、多価アルコールの部分カルボン酸エステル、およびリン酸エステルが挙げられる。
【００８３】
ある態様では潤滑油組成物は、少なくとも一種の多機能添加剤を含有している。好適な多機能添加剤の例（制限的な意味はない）としては、硫化オキシモリブデンジチオカルバメート、硫化オキシモリブデンオルガノリンジチオエート、オキシモリブデンモノグリセリド、オキシモリブデンジエチレートアミド、アミン−モリブデン錯化合物、および硫黄含有モリブデン錯化合物を挙げることができる。
【００８４】
ある態様では潤滑油組成物は、少なくとも一種の粘度指数向上剤を含有している。好適な粘度指数向上剤の例（制限的な意味はない）としては、ポリメタクリレート型重合体、エチレン・プロピレン共重合体、スチレン・イソプレン共重合体、水和スチレン・イソプレン共重合体、ポリイソブチレン、および分散型粘度指数向上剤を挙げることができる。
【００８５】
ある態様では潤滑油組成物は、少なくとも一種の金属不活性化剤を含有している。好適な金属不活性化剤の例（制限的な意味はない）としては、ジサリチリデンプロピレンジアミン、トリアゾール誘導体、チアジアゾール誘導体、およびメルカプトベンズイミダゾール類を挙げることができる。
【００８６】
本発明で用いる添加剤は、添加剤を一種より多く含む添加剤濃縮物の形であってもよい。添加剤濃縮物は、好適な希釈剤、例えば好適な粘度の炭化水素油を含んでいてもよい。そのような希釈剤は、天然油（例えば、鉱油）、合成油およびそれらの組合せからなる群より選ぶことができる。鉱油の例（制限的な意味はない）としては、パラフィン系油、ナフテン系油、アスファルト系油、およびそれらの組合せが挙げられる。合成基油の例（制限的な意味はない）としては、ポリオレフィン油（特には、水素化アルファ−オレフィンオリゴマー類）、アルキル化芳香族、ポリアルキレンオキシド類、芳香族エーテル類、およびカルボン酸エステル類（特には、ジエステル油）、およびそれらの組合せが挙げられる。ある態様では希釈剤は、天然又は合成何れかの軽質炭化水素油である。一般に希釈油の粘度は、４０℃で約１３センチストークス乃至約３５センチストークスである。
【００８７】
Ｄ）潤滑油組成物の製造方法
本発明の潤滑油組成物は、当該分野の熟練者に知られている任意の潤滑油製造方法により製造することができる。ある態様では、基油をジアリールアミン化合物とブレンドまたは混合することができる。任意に、ジアリールアミン化合物に加えて一種以上の他の添加剤を添加することができる。ジアリールアミン化合物と任意の添加剤は基油に別個に加えてもよいし、あるいは同時に加えてもよい。ある態様では、ジアリールアミン化合物と任意の添加剤を基油に別個に一回以上の添加で加えるが、添加は任意の順序であってよい。別の態様では、ジアリールアミン化合物と任意の添加剤を基油に同時に加えるが、任意に添加剤濃縮物の形であってよい。ある態様では、混合物を約２５℃乃至約２００℃、約５０℃乃至約１５０℃、又は約７５℃乃至約１２５℃の温度に加熱することによって、ジアリールアミン化合物または如何なる固形添加剤でも、基油に可溶化するのを助けることができる。
【００８８】
成分をブレンド、混合または可溶化するのに、当該分野の熟練者に知られている任意の混合装置または分散装置を用いることができる。ブレンダ、撹拌器、分散機、ミキサ（例えば、遊星形ミキサおよび二段遊星形ミキサ）、ホモジナイザ（例えば、ガウリン・ホモジナイザ、およびラニー・ホモジナイザ）、微粉砕機（例えば、コロイドミル、ボールミル、およびサンドミル）、もしくは当該分野で知られている他の任意の混合又は分散装置を用いて、ブレンド、混合または可溶化を行うことができる。
【００８９】
Ｅ）潤滑油組成物の用途
本発明の潤滑油組成物は、モーター油（すなわち、エンジン油またはクランクケース油）として、ディーゼルエンジン、特には少なくとも一部にバイオディーゼル燃料が供給された及び／又は混入したディーゼルエンジンに使用するのに適していると言える。
【００９０】
また、本発明の潤滑油組成物は、熱いエンジン部品を冷やしたり、エンジンにさびや堆積物が無いようにしておいたり、燃焼ガスの漏出に備えてリングや弁を封じるのに使用することもできる。モーター油組成物は、基油および開示するジアリールアミン化合物を含有することができる。任意にモーター油組成物は、ジアリールアミン化合物に加えて更に一種以上の他の添加剤を含んでいてもよい。ある態様ではモーター油組成物は更に、流動点降下剤、清浄剤、分散剤、耐摩耗性添加剤、酸化防止剤、摩擦緩和剤、さび止め添加剤またはそれらの組合せを含んでいる。
【００９１】
以下の実施例は、本発明の態様を例示するために提示するのであって、本発明を提示する特定の態様に限定しようとするものではない。特に指示しない限り、部およびパーセントは全て質量である。数値は全ておおよそである。数値範囲が記されている場合に、記載された範囲外の態様であってもなお本発明の範囲内に含まれると解釈すべきである。各実施例に記載された特定の詳細を、本発明の必然的な特徴であると解釈すべきではない。
【実施例】
【００９２】
以下の実施例は、説明の目的でのみ提示しようとするものであり、決して本発明の範囲を限定するものではない。
【００９３】
バイオディーゼル燃料エンジンにおける燃料希釈の影響をシミュレートするために、実施例１−２及び５および比較例３−４を、６質量％のＢ１００バイオディーゼル燃料で調合処理した。１５Ｗ４０油（ＳＡＥ粘度グレード）を達成するために、実施例１−２及び５および比較例３−４及び６−９の潤滑油組成物を、粘度指数向上剤の添加により調整した。
【００９４】
［実施例１］
種々の酸化防止剤の性能を酸化台上試験にて評価するために、基本組成物を製造して使用した。基本組成物は、エチレンカーボネート後処理ポリイソブテニルコハク酸イミド（シェブロン・オロナイト・カンパニーＬＬＣ（Ｃｈｅｖｒｏｎ Ｏｒｏｎｉｔｅ Ｃｏｍｐａｎｙ ＬＬＣ）、カリフォルニア州サンラモン製）活性分で１．１質量％、ホウ酸化コハク酸イミド（シェブロン・オロナイト・カンパニーＬＬＣ製）活性分で２．５質量％、高分子量ポリコハク酸イミド（シェブロン・オロナイト・カンパニー製）活性分で１．８質量％、低過塩基性カルシウムスルホネート清浄剤（シェブロン・オロナイト・カンパニーＬＬＣ製）活性分で０．１８質量％、ホウ酸化カルシウムスルホネート（シェブロン・オロナイト・カンパニーＬＬＣ製）活性分で０．２７質量％、過塩基性マグネシウムスルホネート（Ｍ−４００Ｔ、ウィトコ（Ｗｉｔｃｏ）社より購入）活性分で０．２４質量％、過塩基性カルシウムフェネート清浄剤（シェブロン・オロナイト・カンパニーＬＬＣ製）活性分で０．６５質量％、ジアルキルジチオリン酸亜鉛（シェブロン・オロナイト・カンパニーＬＬＣ製）活性分で１．１質量％、ポリアクリレート流動点降下剤（ローマックス（Ｒｏｈｍａｘ）社、カリフォルニア州ホルシャムより購入）０．３質量％、消泡剤Ｓｉで５ｐｐｍ、およびエチレン・プロピレン共重合体非分散型粘度指数向上剤（シェブロン・オロナイト・カンパニーＬＬＣ製）６．５質量％を基油に含有し、基油は、水素化処理６００ニュートラル基油（１４質量％、シェブロンニュートラル油６００Ｎ（Ｃｈｅｖｒｏｎ Ｎｅｕｔｒａｌ Ｏｉｌ ６００Ｎ）、シェブロン・プロダクツ・カンパニー（Ｃｈｅｖｒｏｎ Ｐｒｏｄｕｃｔｓ Ｃｏｍｐａｎｙ）、カリフォルニア州サンラモン製）とＩＩ種基油（８６質量％、シェブロンニュートラル油２２０Ｎ（Ｃｈｅｖｒｏｎ Ｎｅｕｔｒａｌ Ｏｉｌ ２２０Ｎ）、シェブロン・プロダクツ・カンパニー製）との混合物であった。基本組成物のリン分は０．１０９質量％であった。
【００９５】
［実施例２］
アルキル化ジフェニルアミン酸化防止剤（オクチル化／ブチル化ジフェニルアミン、商品名ＩＲＧＡＮＯＸ Ｌ−５７、チバ・スペシャルティ・ケミカルズ（Ｃｉｂａ Ｓｐｅｃｉａｌｉｔｙ Ｃｈｅｍｉｃａｌｓ）社製）１質量％を添加したこと以外は、実施例１の配合に従って潤滑油組成物を製造した。
【００９６】
［比較例３］
ヒンダードフェノール酸化防止剤（３−（３，５−ジ−ｔｅｒｔ−ブチル−４−ヒドロキシフェニル）プロピオン酸のＣ７−Ｃ９分枝アルキルエステルの混合物、商品名ＩＲＧＡＮＯＸ Ｌ−１３５、チバ・スペシャルティ・ケミカルズ社製）１質量％を添加したこと以外は、実施例１の配合に従って潤滑油組成物を製造した。
【００９７】
［比較例４］
硫黄含有オキシモリブデンコハク酸イミド錯体（シェブロン・オロナイト・カンパニーＬＬＣ製）１質量％、Ｍｏで４５０ｐｐｍを添加したこと以外は、実施例１の配合に従って潤滑油組成物を製造した。
【００９８】
［実施例５］
ＩＲＧＡＮＯＸ Ｌ−５７（商品名）０．３質量％と、ＩＲＧＡＮＯＸ Ｌ−１３５（商品名）０．５質量％と、硫黄含有オキシモリブデンコハク酸イミド錯体（シェブロン・オロナイト・カンパニーＬＬＣ製）０．１２質量％との組合せを添加したこと以外は、実施例１の配合に従って潤滑油組成物を製造した。
【００９９】
［比較例６］
組成物を、６質量％のバイオディーゼル燃料よりはむしろ従来の超低硫黄ディーゼル燃料６質量％で仕上げ処理したこと以外は、実施例１の配合に従って潤滑油組成物を製造した。
【０１００】
［比較例７］
アルキル化ジフェニルアミン酸化防止剤（オクチル化／ブチル化ジフェニルアミン、商品名ＩＲＧＡＮＯＸ Ｌ−５７、チバ・スペシャルティ・ケミカルズ社製）１質量％を添加したこと以外は、比較例６の配合に従って潤滑油組成物を製造した。
【０１０１】
［比較例８］
ヒンダードフェノール酸化防止剤（３−（３，５−ジ−ｔｅｒｔ−ブチル−４−ヒドロキシフェニル）プロピオン酸のＣ７−Ｃ９分枝アルキルエステル、商品名ＩＲＧＡＮＯＸ Ｌ−１３５、チバ・スペシャルティ・ケミカルズ社製）１質量％を添加したこと以外は、比較例６の配合に従って潤滑油組成物を製造した。
【０１０２】
［比較例９］
硫黄含有オキシモリブデンコハク酸イミド錯体（シェブロン・オロナイト・カンパニーＬＬＣ製）１質量％、Ｍｏで４５０ｐｐｍを添加したこと以外は、比較例６の配合に従って潤滑油組成物を製造した。
【０１０３】
実施例１−５の製造物の酸化研究を、Ｅ．Ｓ．ヤマグチ（Ｅ．Ｓ．Ｙａｍａｇｕｃｈｉ）、外著、トライボロジー・トランスアクションズ（Ｔｒｉｂｏｌｏｇｙ Ｔｒａｎｓａｃｔｉｏｎｓ）、第４２（４）巻、ｐ．８９５−９０１（１９９９年）に記載されているように、バルク油酸化台上試験にて行った。この試験では、一定質量の油による定圧酸素消費速度をモニタした。試料２５グラム当りの急速酸素消費に要する時間（誘導時間）を、１７１℃、酸素圧１．０気圧で測定した。試料を毎分１０００回転で撹拌した。だが、結果は試料１００グラム当りの急速酸素消費時間で報告した。油は、油溶性ナフテネートとして加えた触媒を含み、鉄２６ｐｐｍ、銅４５ｐｐｍ、鉛５１２ｐｐｍ、マンガン２．３ｐｐｍおよびスズ２４ｐｐｍであった。
【０１０４】
バルク酸化試験は、工業標準規格のシーケンスＩＩＩＧ（ＡＳＴＭ Ｄ７３２０）酸化エンジン試験での性能を予測するための検査手段として用いた。シーケンスＩＩＩＧでは、ＩＬＳＡＣ ＧＦ−４モーター油仕様で最大１５０％の粘度増加が実証されなければならない。第１図は、２２種類の油に基づいたバルク酸化試験の急速消費時間と、シーケンスＩＩＩＧエンジン試験で１００時間稼働後４０℃で測定した（ＡＳＴＭ Ｄ４４５）新油に対するＩＩＩＧ動粘度増加との間の回帰プロットである。応答を線形化するために、４０℃の％動粘度増加の１／平方根への変形を適用している。第１図は、ＩＬＳＡＣ ＧＦ−４限度を満たす予測性能とするには最小で約５２急速消費時間が要求されることを示している。
【０１０５】
第３表に、バルク油酸化台上試験結果の概要を記す。実施例１は、補足の酸化防止剤を含まず、基本配合物となっていて、１４．７時間の急速Ｏ２消費を実証した。ヒンダードフェノール酸化防止剤（比較例３）またはＭｏ／コハク酸イミド酸化防止剤（比較例４）の何れかを含む配合物は、基本配合物を僅かしか上回らない酸化安定性を示した。驚くべきことに、アルキル化ジフェニルアミン酸化防止剤１質量％（実施例２）を含む配合物は、６０．１時間の急速Ｏ２消費を実証し、ずっと早い急速酸素消費を示した基本配合物やヒンダードフェノール又はＭｏ／コハク酸イミド酸化防止剤の何れかを含む配合物よりも、酸化安定性が著しく改善された。実施例２は、ＩＬＳＡＣ ＧＦ−４標準規格を満たす予測性能を実証する唯一の組成物である。全三種類の酸化防止剤の混合物（実施例５）を含む配合物は、基本組成物よりも、またヒンダードフェノール又はＭｏ／コハク酸イミド酸化防止剤の何れか一方だけを含む配合物よりも、改善された酸化安定性を示した。ヒンダードフェノール及びＭｏ／コハク酸イミド酸化防止剤は、僅かしか酸化安定性に寄与しないので、実施例５の基本組成物を上回って改善された酸化安定性は、ジフェニルアミン酸化防止剤０．３質量％の存在によると言える。
【０１０６】
【表３】
2014196511.tif 000006
【０１０７】
第４表に、６質量％の従来の超低硫黄ディーゼル燃料で仕上げ処理した潤滑油組成物におけるバルク油酸化台上試験結果の概要を記す。比較例６は、補足の酸化防止剤を含まず、基本配合物となっていて、２．８時間の急速Ｏ２消費を実証した。ヒンダードフェノール酸化防止剤（比較例８）またはＭｏ／コハク酸イミド酸化防止剤（比較例９）の何れかを含む配合物は、基本配合物を僅かしか上回らない酸化安定性を示した。アルキル化ジフェニルアミン酸化防止剤１質量％（比較例７）を含む配合物は、１３．１時間の急速Ｏ２消費を実証し、基本配合物やヒンダードフェノール又はＭｏ／コハク酸イミド酸化防止剤の何れかを含む配合物よりも、酸化安定性が著しく改善された。
【０１０８】
【表４】
2014196511.tif 000007
【０１０９】
本発明の実施態様を以下にまとめる。
［１］．
バイオディーゼル燃料又はその分解生成物が潤滑油組成物の全質量に基づき少なくとも約０．３質量％混入している、下記の成分を含む潤滑油組成物：
ａ）主要量の潤滑粘度の基油、および
ｂ）ジアリールアミン化合物、
ただし、上記ジアリールアミン化合物の含有量は、潤滑油組成物の全質量に基づき少なくとも約０．１質量％である。
［２］．
さらに、酸化防止剤、耐摩耗性添加剤、清浄剤、さび止め添加剤、抗乳化剤、摩擦緩和剤、多機能添加剤、粘度指数向上剤、流動点降下剤、消泡剤、金属不活性化剤、分散剤、
腐食防止剤、潤滑性向上剤、熱安定性向上剤、防曇剤、氷結防止剤、染料、マーカー、静電放散剤、殺生物剤およびそれらの組合せからなる群より選ばれた少なくとも一種の添加剤を含む上記［１］項に記載の潤滑油組成物。
［３］．
さらに、少なくとも一種の耐摩耗性添加剤を含む上記［１］項に記載の潤滑油組成物。
［４］．
少なくとも一種の耐摩耗性添加剤がジアルキルジチオリン酸亜鉛化合物からなる上記［３］項に記載の潤滑油組成物。
［５］．
ジアルキルジチオリン酸亜鉛化合物から誘導されるリン分が、潤滑油組成物の全質量に基づき約０．００１質量％乃至約０．５質量％である、上記［４］項に記載の潤滑油組成物。
［６］．
ジアルキルジチオリン酸亜鉛化合物から誘導されるリン分が、潤滑油組成物の全質量に基づき約０．０１質量％乃至約０．１２質量％である、上記［５］項に記載の潤滑油組成物。
［７］．
ジアルキルジチオリン酸亜鉛化合物から誘導されるリン分が、潤滑油組成物の全質量に基づき約０．０１質量％乃至約０．０８質量％である、上記［６］項に記載の潤滑油組成物。
［８］．
ジアルキルジチオリン酸亜鉛化合物から誘導されるリン分が、潤滑油組成物の全質量に基づき約０．０５質量％乃至約０．１２質量％である、上記［６］項に記載の潤滑油組成物。
［９］．
潤滑油組成物の硫酸灰分が、潤滑油組成物の全質量に基づき最大約２．０質量％である上記［１］項に記載の潤滑油組成物。
［１０］．
バイオディーゼル燃料が、長鎖脂肪酸のアルキルエステルを含む上記［１］項に記載の潤滑油組成物。
［１１］．
長鎖脂肪酸が、炭素原子約１２個乃至炭素原子約３０個を含む上記［９］項に記載の潤滑油組成物。
［１２］．
バイオディーゼル燃料又はその分解生成物が、潤滑油組成物中に潤滑油組成物の全質量に基づき約０．３質量％乃至約２０質量％の量で存在する上記［１］項に記載の潤滑油組成物。
［１３］．
基油の動粘度が、１００℃で約４ｃＳｔ乃至約２０ｃＳｔである上記［１］項に記載の潤滑油組成物。
［１４］．
ジアリールアミン化合物の量が、潤滑油組成物の全質量に基づき少なくとも約０．４質量％である上記［１］項に記載の潤滑油組成物。
［１５］．
ジアリールアミン化合物がジフェニルアミン化合物である上記［１］項に記載の潤滑油組成物。
［１６］．
ジフェニルアミン化合物がアルキル化ジフェニルアミン化合物である上記［１４］項に記載の潤滑油組成物。
［１７］．
アルキル化ジフェニルアミンがＣ1-20アルキル基を含む上記［１５］項に記載の潤滑油組成物。
［１８］．
アルキル化ジフェニルアミンが、ビスノニル化ジフェニルアミン、ビスオクチル化ジフェニルアミン、オクチル化／ブチル化ジフェニルアミン、またはそれらの組合せである上記［１６］項に記載の潤滑油組成物。
［１９］．
少なくとも部分的にバイオディーゼル燃料が供給されたディーゼルエンジンの運転を潤滑にする方法であって、バイオディーゼル燃料又はその分解生成物が潤滑油組成物の全質量に基づき少なくとも約０．３質量％混入している、下記の成分を含む潤滑油組成物を用いて、該エンジンを運転することからなる方法：
ａ）主要量の潤滑粘度の基油、および
ｂ）ジアリールアミン化合物、
ただし、ジアリールアミン化合物の量は、潤滑油組成物の全質量に基づき少なくとも約０．１質量％である。
［２０］．
さらに、少なくとも一種の耐摩耗性添加剤を含む上記［１９］項に記載の方法。
［２１］．
少なくとも一種の耐摩耗性添加剤がジアルキルジチオリン酸亜鉛化合物からなる上記［２０］項に記載の方法。
［２２］．
ジアルキルジチオリン酸亜鉛化合物から誘導されるリン分が、潤滑油組成物の全質量に基づき約０．００１質量％乃至約０．５質量％である上記［１９］項に記載の方法。
［２３］．
ジアリールアミン化合物がジフェニルアミン化合物である上記［１９］項に記載の方法。
［２４］．
ジフェニルアミン化合物がアルキル化ジフェニルアミン化合物である上記［２３］項に記載の方法。
［２５］．
アルキル化ジフェニルアミンがＣ1-20アルキル基を含む上記［２４］項に記載の方法。
【図１】
2014196511.tif 000010